(57)【要約】【課題】濾過フィルタの交換をより容易に行うことができる濾過フィルタ群を提供する。【解決手段】本発明に係る濾過フィルタ群（１）は、流体に含まれる濾過対象物を濾過する膜部（１１）と、膜部（１１）を保持するとともに、膜部（１１）を複数箇所で露出させるための複数の貫通穴（１２ａ）が設けられている保持体（１２）と、を備える。【選択図】図１
2018122194.tif 000002
【特許請求の範囲】
【請求項１】
流体に含まれる濾過対象物を濾過する膜部と、
前記膜部を保持するとともに、前記膜部を複数箇所で露出させるための複数の貫通穴が設けられている保持体と、
を備える、濾過フィルタ群。
【請求項２】
前記膜部は、前記複数の貫通穴のそれぞれに対応するように複数設けられている、請求項１に記載の濾過フィルタ群。
【請求項３】
前記保持体は、前記膜部の一方の主面に接続されている、請求項１又は２に記載の濾過フィルタ群。
【請求項４】
前記保持体は、前記膜部の一方の主面及び他方の主面の両方に接続されている、請求項１又は２に記載の濾過フィルタ群。
【請求項５】
前記保持体は、前記膜部の外周部と嵌合する凹部を備える、請求項２に記載の濾過フィルタ群。
【請求項６】
前記保持体は、可撓性を有するテープ状部材であり、
前記複数の貫通穴は、前記保持体の長手方向に沿って設けられている、
請求項１〜５のいずれか１つに記載の濾過フィルタ群。
【請求項７】
前記保持体には、互いに隣接する前記貫通穴の間に切取線が設けられている、請求項６に記載の濾過フィルタ群。
【請求項８】
前記保持体の少なくとも一方の主面に、前記複数箇所で露出する膜部を覆う保護シートが設けられている、請求項１〜７のいずれか１つに記載の濾過フィルタ群。
【請求項９】
前記保持体をロール状に巻き回したロール体の最外周面に保護シートが設けられている、請求項１〜８のいずれか１つに記載の濾過フィルタ群。
【請求項１０】
前記保持体をロール状に巻き回したロール体の互いに対向する一対の底面の少なくとも一方に保護シートが設けられている、請求項１〜９のいずれか１つに記載の濾過フィルタ群。
【請求項１１】
前記膜部は、前記流体から生物由来物質を分離する複数の貫通孔を有する金属製薄膜である、請求項１〜１０のいずれか１つに記載の濾過フィルタ群。
【請求項１２】
流体に含まれる濾過対象物を濾過する膜部と、前記膜部を保持するとともに、前記膜部を複数箇所で露出させるための複数の貫通穴が設けられている保持体と、を備える濾過フィルタ群と、
前記複数の貫通穴のうちの少なくとも１つから露出する膜部に流体を供給する流体供給部と、
前記膜部に前記流体供給部からの流体が供給されるように前記濾過フィルタ群及び前記流体供給部の少なくとも一方を搬送する搬送装置と、
を備える、濾過装置。
【請求項１３】
前記搬送装置は、前記流体供給部が流体を供給する膜部が逐次変更されるように、前記濾過フィルタ群及び前記流体供給部の少なくとも一方を搬送する、請求項１２に記載の濾過装置。
【請求項１４】
前記搬送装置は、前記流体供給部から流体を供給される流体供給領域と、濾過された濾過対象物を前記膜部上から除去する除去領域とに交互に前記膜部が位置するように、前記濾過フィルタ群を搬送する、請求項１２又は１３に記載の濾過装置。
【請求項１５】
前記濾過フィルタ群は、無端ベルト状に形成され、
前記搬送装置は、前記濾過フィルタ群を時計回り又は反時計回りに搬送する、請求項１２〜１４のいずれか１つに記載の濾過装置。
【発明の詳細な説明】
【技術分野】
【０００１】
本発明は、流体に含まれる濾過対象物を濾過する濾過フィルタ群、及び当該濾過フィルタ群を用いる濾過装置に関する。
【背景技術】
【０００２】
従来、流体に含まれる濾過対象物を濾過する濾過フィルタとして、例えば、特許文献１（国際公開公報第２０１５／０１９８８９号）に開示されたものが知られている。
【０００３】
特許文献１には、液体に含まれる生物由来物質を濾過する濾過フィルタが開示されている。この濾過フィルタは、中央部から外周部に向かって引張力が掛かるように、外周部が蓋部材と収納部材との間に嵌合するように取り付けられる。この状態で、濾過フィルタに生物由来物質を含む液体を通過させることで、生物由来物質を濾過する。
【先行技術文献】
【特許文献】
【０００４】
【特許文献１】国際公開公報第２０１５／０１９８８９号
【発明の概要】
【発明が解決しようとする課題】
【０００５】
濾過フィルタは、生物由来物質などの濾過対象物の濾過が進むことで、目詰まりを生じる。濾過フィルタが目詰まりすると、当該濾過フィルタを交換する必要がある。特許文献１の装置は、濾過フィルタの外周部を蓋部材と収納部材との間に嵌合させる構造であるため、濾過フィルタを交換するには、蓋部材と収納部材との取り外し及び取り付け動作が必要になる。従って、特許文献１の装置では、濾過フィルタの交換が煩雑であるという課題がある。
【０００６】
本発明の目的は、前記課題を解決することにあって、濾過フィルタの交換をより容易に行うことができる濾過フィルタ群及び濾過装置を提供することにある。
【課題を解決するための手段】
【０００７】
前記目的を達成するために、本発明の一態様に係る濾過フィルタ群は、
流体に含まれる濾過対象物を濾過する膜部と、
前記膜部を保持するとともに、前記膜部を複数箇所で露出させるための複数の貫通穴が設けられている保持体と、
を備える。
【０００８】
また、本発明の一態様に係る濾過装置は、
流体に含まれる濾過対象物を濾過する膜部と、前記膜部を保持するとともに、前記膜部を複数箇所で露出させるための複数の貫通穴が設けられている保持体と、を備える濾過フィルタ群と、
前記複数の貫通穴のうちの少なくとも１つから露出する膜部に流体を供給する流体供給部と、
前記膜部に前記流体供給部からの流体が供給されるように前記濾過フィルタ群及び前記流体供給部の少なくとも一方を搬送する搬送装置と、
を備える。
【０００９】
なお、本明細書では、「濾過フィルタ」は、１つの貫通穴から露出する膜部と、その周囲に位置する保持体の一部とで構成されるものとする。また、この「濾過フィルタ」が複数連結され、一体化されたものを「濾過フィルタ群」という。
【発明の効果】
【００１０】
本発明によれば、濾過フィルタの交換をより容易に行うことができる。
【図面の簡単な説明】
【００１１】
【図１】本発明の実施の形態１に係る濾過フィルタ群の概略構成を示す平面図である。
【図２】図１のＡ１−Ａ１線断面図である。
【図３】図１のＢ１−Ｂ１線断面図である。
【図４】図１の濾過フィルタ群を用いる濾過装置の概略構成を示す側面図である。
【図５】図５は、図４の一部拡大斜視図である。
【図６】膜部の一方の主面にのみ保持体を接続した例を示す断面図である。
【図７】保持体に切取線及び送り穴が形成された例を示す平面図である。
【図８】図１の濾過フィルタ群をロール状に巻き回したロール体の最外周面に保護シートを設けた例を示す斜視図である。
【図９】図１の濾過フィルタ群の両主面に保護シートを設けた例を示す断面図である。
【図１０】本発明の実施の形態２に係る濾過フィルタ群、及び当該濾過フィルタ群を用いる濾過装置の概略構成を示す平面図である。
【図１１】図１０の濾過フィルタ群及び濾過装置の側面図である。
【図１２】図１０の濾過フィルタ群の変形例を示す平面図である。
【図１３】本発明の実施の形態３に係る濾過装置の概略構成を示す斜視図である。
【図１４】本発明の実施の形態４に係る濾過装置の概略構成を示す側面図である。
【発明を実施するための形態】
【００１２】
本発明の一態様に係る濾過フィルタ群は、
流体に含まれる濾過対象物を濾過する膜部と、
前記膜部を保持するとともに、前記膜部を複数箇所で露出させるための複数の貫通穴が設けられている保持体と、
を備える。
【００１３】
この構成によれば、特定の貫通穴で露出する膜部が目詰まりした場合でも、保持体を移動させるだけで他の貫通穴で露出する膜部に交換することができる。従って、濾過フィルタの交換を容易に行うことができる。
【００１４】
なお、前記膜部は、前記複数の貫通穴のそれぞれに対応するように複数設けられてもよい。例えば、１つの貫通穴に１枚の膜部が設けられるように構成されてもよい。この構成によれば、膜部を設ける面積を小さくすることができるので、コストの低減を図ることができる。
【００１５】
また、前記保持体は、前記膜部の一方の主面に接続されてもよい。この構成によれば、膜部の他方の主面に保持体を設ける必要がなく、構造をシンプルにしてコストの低減を図ることができる。また、可撓性を向上させることができる。
【００１６】
また、前記保持体は、前記膜部の一方の主面及び他方の主面の両方に接続されてもよい。この構成によれば、濾過フィルタ群を曲げたときに、膜部が保持体から剥がれることを抑えることができる。
【００１７】
また、前記保持体は、前記膜部の外周部と嵌合する凹部を備えてもよい。この構成によれば、膜部の位置ずれを抑えることができる。
【００１８】
また、前記保持体は、可撓性を有するテープ状部材であり、前記複数の貫通穴は、前記保持体の長手方向に沿って設けられてもよい。この構成によれば、濾過フィルタ群を巻き回して小型に収納したり、任意の形状に変形することができるので取扱い性をより向上させることができる。
【００１９】
また、前記保持体には、互いに隣接する前記貫通穴の間に切取線が設けられてもよい。この構成によれば、切取線に沿って切り取ることで、所望の長さの濾過フィルタ群を得ることができ、濾過フィルタ群の取扱い性をより向上させることができる。
【００２０】
また、前記保持体の少なくとも一方の主面に、前記複数箇所で露出する膜部を覆う保護シートが設けられてもよい。この構成によれば、濾過フィルタ群に対する汚れや破損を防ぐことなどができて取扱い性をより向上させることができる。
【００２１】
また、前記保持体をロール状に巻き回したロール体の最外周面に保護シートが設けられてもよい。この構成によれば、濾過フィルタ群に対する汚れや破損を防ぐことなどができて取扱い性をより向上させることができる。
【００２２】
また、前記保持体をロール状に巻き回したロール体の互いに対向する一対の底面の少なくとも一方に保護シートが設けられてもよい。この構成によれば、濾過フィルタ群に対する汚れや破損を防ぐことなどができて取扱い性をより向上させることができる。
【００２３】
また、前記膜部は、前記流体から生物由来物質を分離する複数の貫通孔を有する金属製薄膜であってもよい。
【００２４】
本発明の一態様に係る濾過装置は、
流体に含まれる濾過対象物を濾過する膜部と、前記膜部を保持するとともに、前記膜部を複数箇所で露出させるための複数の貫通穴が設けられている保持体と、を備える濾過フィルタ群と、
前記複数の貫通穴のうちの少なくとも１つから露出する膜部に流体を供給する流体供給部と、
前記膜部に前記流体供給部からの流体が供給されるように前記濾過フィルタ群及び前記流体供給部の少なくとも一方を搬送する搬送装置と、
を備える。
【００２５】
この構成によれば、特定の貫通穴で露出する膜部が目詰まりした場合でも、保持体を移動させるだけで他の貫通穴で露出する膜部に交換することができる。従って、膜部の交換を容易に行うことができる。
【００２６】
なお、前記搬送装置は、前記流体供給部が流体を供給する膜部が逐次変更されるように、前記濾過フィルタ群及び前記流体供給部の少なくとも一方を搬送してもよい。
【００２７】
この構成によれば、濾過フィルタの交換を容易に行うことができる。
【００２８】
また、前記搬送装置は、前記流体供給部から流体を供給される流体供給領域と、濾過された濾過対象物を前記膜部上から除去する除去領域とに交互に前記膜部が位置するように、前記濾過フィルタ群を搬送してもよい。
【００２９】
この構成によれば、濾過した濾過対象物で目詰まりした膜部を除去領域に移動させて濾過対象物を除去することにより、膜部を再利用することができ、コストの低減を図ることができる。
【００３０】
また、前記濾過フィルタ群は、無端ベルト状に形成され、
前記搬送装置は、前記濾過フィルタ群を時計回り又は反時計回りに搬送してもよい。
【００３１】
この構成によれば、前記濾過フィルタ群を時計回り又は反時計回りの一方向に搬送することにより、濾過フィルタの交換を容易に行うことができる。
【００３２】
以下、本発明の実施形態について、図面を参照しながら説明する。
【００３３】
（実施の形態１）
図１は、本発明の実施の形態１に係る濾過フィルタ群の概略構成を示す平面図である。図２は、図１のＡ１−Ａ１線断面図である。図３は、図１のＢ１−Ｂ１線断面図である。
【００３４】
本実施の形態１において、濾過対象物は、液体に含まれる生物由来物質である。本明細書において、「生物由来物質」とは、細胞（真核生物）、細菌（真性細菌）、ウィルス等の生物に由来する物質を意味する。細胞（真核生物）としては、例えば、卵、精子、人工多能性幹細胞（ｉＰＳ細胞）、ＥＳ細胞、幹細胞、間葉系幹細胞、単核球細胞、単細胞、細胞塊、浮遊性細胞、接着性細胞、神経細胞、白血球、リンパ球、再生医療用細胞、自己細胞、がん細胞、血中循環がん細胞（ＣＴＣ）、ＨＬ−６０、ＨＥＬＡ、菌類を含む。細菌（真性細菌）としては、例えば、グラム陽性菌、グラム陰性菌、大腸菌、結核菌を含む。ウィルスとしては、例えば、ＤＮＡウィルス、ＲＮＡウィルス、ロタウィルス、（鳥）インフルエンザウィルス、黄熱病ウィルス、デング熱病ウィルス、脳炎ウィルス、出血熱ウィルス、免疫不全ウィルスを含む。
【００３５】
図１〜図３に示すように、本実施の形態１に係る濾過フィルタ群１は、複数の膜部１１と、当該複数の膜部１１を保持する保持体１２とを備えている。
【００３６】
本実施の形態１において、膜部１１は、円形の金属製薄膜で構成されている。膜部１１の材料としては、例えば、金、銀、銅、ニッケル、ステンレス鋼、パラジウム、チタン、及びこれらの合金が挙げられる。なお、膜部１１は、樹脂製薄膜や濾紙等であってもよい。すなわち、膜部１１は、多孔膜であればよい。膜部１１の寸法は、例えば、直径８ｍｍ、厚さ１．２μｍである。
【００３７】
膜部１１は、互い対向する一対の主面を有し、両主面を貫通する複数の貫通孔１１ａを有している。貫通孔１１ａは、液体から生物由来物質を分離するものである。貫通孔１１ａの形状及び寸法は、生物由来物質の形状、大きさに応じて適宜設定されるものである。貫通孔１１ａは、例えば、等間隔又は周期的に配置される。貫通孔１１ａの形状は、例えば、膜部１１の主面側から見て正方形である。貫通孔１１ａのサイズは、例えば、縦０．１μｍ以上５０μｍ以下、横０．１μｍ以上５０μｍ以下である。貫通孔１１ａ間の間隔は、例えば、貫通孔１１ａの１倍よりも大きく１０倍以下であり、より好ましくは３倍以下である。また、膜部１１における貫通孔１１ａの開口率は、例えば、１０％以上である。
【００３８】
本実施の形態１において、保持体１２は、可撓性を有するテープ状部材である。保持体１２には、複数の貫通穴１２ａが設けられている。複数の貫通穴１２ａは、保持体１２の長手方向に沿って、例えば等間隔で設けられている。貫通穴１２ａの形状及び寸法は、所望の濾過処理量、濾過処理時間等に応じて適宜設定されるものである。貫通穴１２ａの形状は、例えば、保持体１２の主面側から見て円形である。貫通穴１２ａのサイズは、例えば、直径６ｍｍである。貫通穴１２ａ間の間隔は、例えば、１２ｍｍである。
【００３９】
保持体１２の材料としては、例えば、ポリプロピレン、ポリエステル、ポリウレタン、レーヨン、ポリ塩化ビニル、ハイドロゲル、ナイロン、ポリオレフィン、紙が挙げられる。保持体１２の幅は、例えば、１２ｍｍである。保持体１２の厚さは、例えば、５００μｍである。
【００４０】
各貫通穴１２ａを形成する保持体１２の壁面には、それぞれ、凹部１２ｂが設けられている。凹部１２ｂは、例えば、円環状に形成されている。膜部１１は、外周部が凹部１２ｂに嵌合することにより、保持体１２に保持されている。これにより、膜部１１は、保持体１２の各貫通穴１２ａから外部に露出している。
【００４１】
本実施の形態１において、保持体１２は、２層構造を有し、第１層状部材２１と、第２層状部材２２とにより構成されている。第１層状部材２１は、例えば接着材により、膜部１１の一方の主面に接続されている。第２層状部材２２は、例えば接着材により、膜部１１の他方の主面に接続されている。すなわち、保持体１２は、膜部１１の一方の主面及び他方の主面の両方に接続されている。また、第１層状部材２１と第２層状部材２２とは、例えば、接着材により互いに接続されている。凹部１２ｂは、第１層状部材２１及び第２層状部材２２の少なくともいずれか一方に設けられている。
【００４２】
次に、本実施の形態１に係る濾過フィルタ群１を用いて生物由来物質の濾過を行う濾過装置について説明する。図４は、当該濾過装置の概略構成を示す側面図である。図５は、図４の一部拡大斜視図である。
【００４３】
図４に示すように、濾過装置２は、搬送装置３と、流体供給部４とを備えている。
【００４４】
搬送装置３は、流体供給領域Ｅ１に特定の貫通穴１２ａから露出する膜部１１が位置するように、濾過フィルタ群１を搬送する。また、搬送装置３は、流体供給領域Ｅ１に位置する膜部１１が逐次変更されるように、濾過フィルタ群１を搬送する。本実施の形態１において、搬送装置３は、供給リール３１と、巻き取りリール３２とを備えている。
【００４５】
供給リール３１には、濾過フィルタ群１が巻き回されている。また、供給リール３１には、繰り出しモータ３１ａが設けられている。繰り出しモータ３１ａが駆動されることにより、濾過フィルタ群１が供給リール３１から繰り出される。供給リール３１から繰り出された濾過フィルタ群１は、巻き取りリール３２に巻き取られる。
【００４６】
巻き取りリール３２には、巻き取りモータ３２ａが設けられている。例えば、巻き取りモータ３２ａが駆動されることにより、巻き取りリール３２には一定の張力がかけられている。これにより、供給リール３１から繰り出された濾過フィルタ群１は、当該繰り出しと同時に巻き取りリール３２に巻き取られる。
【００４７】
流体供給部４は、供給リール３１と巻き取りリール３２との間に位置する流体供給領域Ｅ１で、特定の貫通穴１２ａから露出する膜部１１に、生物由来物質を含む液体を供給するように設けられている。
【００４８】
本実施の形態１において、流体供給部４は、図５に示すように、第１筒体４１と第２筒体４２とを備えている。特定の貫通穴１２ａから露出する膜部１１が搬送装置３により流体供給領域Ｅ１に搬送されたとき、流体供給部４は、第１筒体４１と第２筒体４２とを互いに近づく方向及び互いに離れる方向に移動させるように構成されている。また、流体供給部４は、例えば、第１筒体４１の内部を通じて第２筒体４１の内部に向かうように、生物由来物質を含む液体を供給するように構成されている。
【００４９】
次に、濾過装置２の動作の一例について説明する。
【００５０】
まず、繰り出しモータ３１ａ及び巻き取りモータ３２ａが駆動されることにより、特定の貫通穴１２ａから露出する膜部１１が流体供給領域Ｅ１に搬送される。
【００５１】
次いで、第１筒体４１と第２筒体４２とが互いに近づく方向に移動され、第１筒体４１の一方の開口端部４１ａと第２筒体４２の一方の開口端部４２ａとが、濾過フィルタ群１を介して接触し連通する。このとき、開口端部４１ａ，４２ａは、濾過フィルタ群１の厚み方向から見て、特定の貫通穴１２ａから露出する膜部１１を包含するように位置する。
【００５２】
次いで、第１筒体４１の内部を通じて第２筒体４２の内部に向かうように、生物由来物質を含む液体が供給される。これにより、特定の貫通穴１２ａから露出する膜部１１が、生物由来物質を濾過する。生物由来物質を含む液体の供給は、一定時間、例えば、膜部１１が目詰まりすると想定される時間、継続される。
【００５３】
次いで、第１筒体４１と第２筒体４２とが、互いに離れる方向に移動され、濾過フィルタ群１から退避する。
【００５４】
次いで、繰り出しモータ３１ａ及び巻き取りモータ３２ａが駆動されることにより、次に濾過を行う膜部１１（例えば、特定の貫通穴に隣接する貫通穴から露出する膜部）が、流体供給領域Ｅ１に搬送される。
【００５５】
以下、同様にして、流体供給領域Ｅ１に搬送された膜部１１への液体の供給が流体供給部４により行われるとともに、流体供給領域Ｅ１に位置する膜部１１の交換が搬送装置３により行われる。
【００５６】
本実施の形態１によれば、複数の膜部１１を１つの保持体１２で保持するようにしている。これにより、特定の膜部１１が目詰まりした場合でも、保持体１２を移動させるだけで他の膜部１１に交換することができる。従って、濾過フィルタの交換を容易に行うことができる。
【００５７】
また、本実施の形態１によれば、搬送装置３が流体供給領域Ｅ１に位置する膜部１１が逐次変更されるように濾過フィルタ群１を搬送するので、濾過フィルタの交換を容易に行うことができる。
【００５８】
また、本実施の形態１によれば、膜部１１が複数の貫通穴１２ａのそれぞれに対応するように複数設けられている。すなわち、１つの貫通穴１２ａに１枚の膜部１１が設けられるように構成されている。これにより、膜部１１を設ける面積を小さくすることができ、コストの低減を図ることができる。
【００５９】
また、本実施の形態１によれば、保持体１２が膜部１１の両方の主面に接続されているので、濾過フィルタ群１を曲げたときに、膜部１１が保持体１２から剥がれることを抑えることができる。
【００６０】
また、本実施の形態１によれば、保持体１２が膜部１１の外周部と嵌合する凹部１２ｂを備えているので、例えば、膜部１１の位置ずれを抑えることができる。
【００６１】
また、本実施の形態１によれば、保持体１２が可撓性を有するテープ状部材であるので、濾過フィルタ群１を巻き回して小型に収納したり、任意の形状に変形することができるので取扱い性をより向上させることができる。
【００６２】
なお、本実施の形態１では、１つの貫通穴１２ａに１枚の膜部１１が設けられるように構成したが、本発明はこれに限定されない。例えば、膜部１１は、濾過フィルタ群１の厚み方向から見て、２つ以上の貫通穴１２ａを包含する大きさに形成されてもよい。すなわち、１枚の膜部１１が２つ以上の貫通孔１２ａから露出するように形成されてもよい。
【００６３】
また、本実施の形態１では、保持体１２が膜部１１の両方の主面に接続されるように構成したが、本発明はこれに限定されない。例えば、保持体１２は、図６に示すように、膜部１１の一方の主面にのみ接続されてもよい。この場合、膜部１１の他方の主面に第２層状部材２２を設ける必要がないので、構造をシンプルにしてコストの低減を図ることができる。また、可撓性を向上させることができる。
【００６４】
また、本実施の形態１では、濾過対象物が液体に含まれる生物由来物質であるとしたが、本発明はこれに限定されない。濾過対象物は、気体に含まれる物質であってもよい。すなわち、濾過対象物は、流体に含まれる物質であればよく、例えば、空気中に含まれるＰＭ２．５であってもよい。
【００６５】
また、本実施の形態１では、濾過フィルタ群１及び濾過装置２は、液体から生物由来物質を濾過するために使用されるものとしたが、本発明はこれに限定されない。例えば、濾過フィルタ群１及び濾過装置２は、例えば、液体を濃縮するために使用されてもよい。
【００６６】
また、本実施の形態１では、流体供給部４は、第１筒体４１と第２筒体４２の一組の筒体で構成されるものとしたが、本発明はこれに限定されない。流体供給部４は、第１筒体４１と第２筒体４２とを一組として、複数組の筒体で構成されてもよい。この構成によれば、生物由来物質を含む液体を複数の膜部１１で同時に濾過することができ、濾過処理量の増加及び濾過時間の短縮を図ることが可能になる。
【００６７】
なお、保持体１２には、図７に示すように、互いに隣接する貫通穴１２ａ，１２ａの間に切取線１２ｃが設けられてもよい。この構成によれば、切取線１２ｃに沿って切り取ることで、所望の長さの濾過フィルタ群１を得ることができ、濾過フィルタ群１の取扱い性をより向上させることができる。例えば、生物由来物質を濾過した膜部１１を含む保持体１２の一部を切取線１２ｃで切り取って、顕微鏡などで分析することが可能になる。
【００６８】
また、保持体１２には、図７に示すように、複数の送り穴１３が設けられてもよい。複数の送り穴１３は、例えば、保持体１２の長手方向に沿って等間隔に設ければよい。また、この場合、例えば、複数の送り穴１３に対応する複数のピンを備えるホイール（図示せず）を搬送装置３が備えるように構成すればよい。これにより、濾過フィルタ群１を所望の距離だけより正確に搬送することが可能になり、流体供給領域Ｅ１に膜部１１を位置させる精度を向上させることができる。
【００６９】
また、図８に示すように、保持体１２（濾過フィルタ群１）をロール状に巻き回したロール体５の最外周面に保護シート１４が設けられてもよい。また、当該ロール体５の互いに対向する一対の底面５Ａ，５Ｂの少なくとも一方に保護シート（図示せず）が設けられてもよい。この構成によれば、濾過フィルタ群に対する汚れや破損を防ぐことができて取扱い性をより向上させることができる。
【００７０】
また、図９に示すように、保持体１２の両方の主面には、複数箇所で露出する膜部１１を覆う保護シート１５が設けられてもよい。この構成によれば、濾過フィルタ群１に対する汚れや破損を防ぐことができて取扱い性をより向上させることができる。なお、保護シート１５は、例えば、保持体１２をロール状に巻き回す場合には、保持体１２の一方の主面にのみ設けられてもよい。この構成によれば、可撓性を向上させることができる。
【００７１】
なお、各保護シートは、例えば、ポリスチレン、ポリエチレン、ポリエステル、ポリウレタン、レーヨン、ＰＶＣ、ハイドロゲル、ナイロン、ポリオレフィン、セルロースなどの可撓性を有する部材で構成すればよい。
【００７２】
（実施の形態２）
図１０は、本発明の実施の形態２に係る濾過フィルタ群、及び当該濾過フィルタ群を用いる濾過装置の概略構成を示す平面図であり、図１１は、その断面図である。
【００７３】
本実施の形態２に係る濾過フィルタ群１Ａが前記実施の形態１に係る濾過フィルタ群１と異なる点は、保持体１２が円盤状に形成され、複数の膜部１１が保持体１２の外周部に沿って配置されている点である。本実施の形態２において、複数の膜部１１は、保持体１２の中心穴１２Ａを中心とする同心円上に等間隔に配置されている。
【００７４】
また、本実施の形態２に係る濾過装置２Ａが前記実施の形態１に係る濾過装置２と異なる点は、搬送装置３が保持体１２を回転させるように構成されている点である。本実施の形態２において、搬送装置３は、保持体１２の中心穴１２Ａに挿入される回転体３３を備えている。回転体３３が回転軸Ｒ１を中心として回転（例えば、図１０の矢印の方向に回転）することにより、流体供給領域Ｅ１に位置する膜部１１が逐次変更される。
【００７５】
本実施の形態２によれば、前記実施の形態１と同様に、複数の膜部１１を１つの保持体１２で保持するようにしている。これにより、特定の膜部１１が目詰まりした場合でも、保持体１２を移動させるだけで他の膜部１１に交換することができる。従って、濾過フィルタの交換を容易に行うことができる。
【００７６】
なお、本実施の形態２では、複数の膜部１１を保持体１２の中心穴１２Ａを中心とする円上に等間隔に配置したが、本発明はこれに限定されない。図１２に示す濾過フィルタ群１Ｂのように、複数の膜部１１は、保持体１２の全体に分散（例えば、均一に分散）して設けられてもよい。この場合、搬送装置３は、保持体１２を平行移動させることにより流体供給領域Ｅ１に位置する膜部１１を逐次変更するように構成されればよい。また、搬送装置３は、流体供給部４を移動させることにより流体供給領域Ｅ１に位置する膜部１１を逐次変更するように構成されてもよい。
【００７７】
（実施の形態３）
図１３は、本発明の実施の形態３に係る濾過装置の概略構成を示す斜視図である。
【００７８】
本実施の形態３に係る濾過装置２Ｂが前記実施の形態１に係る濾過装置２と異なる点は、流体供給部４が回転体４３を備えている点である。
【００７９】
本実施の形態３において、濾過フィルタ群１は、回転筒体４３の外周面に螺旋状に巻かれるように配置される。回転筒体４３は、回転軸Ｒ２を中心として回転する。これにより、濾過フィルタ群１は、回転筒体４３の外周面に沿って螺旋状に移動する。
【００８０】
回転筒体４３の外周面には、濾過フィルタ群１の複数の膜部１１に対向する位置にそれぞれ、貫通穴４３ａが設けられている。生物由来物質を含む液体は、回転筒体４３の一方の開口端部４３ｂから他方の開口端部４３ｃに向けて回転軸Ｒ１に対して平行又は略平行に供給される。この過程で、生物由来物質を含む液体の一部が、貫通穴４３ａを介して膜部１１を通過し、当該膜部１１が生物由来物質を濾過する。
【００８１】
本実施の形態３によれば、膜部１１に対して生物由来物質を含む液体を平行又は略平行に供給するので、膜部１１の目詰まりの発生を抑制することができる。
【００８２】
（実施の形態４）
図１４は、本発明の実施の形態４に係る濾過装置の概略構成を示す側面図である。
【００８３】
本実施の形態４に係る濾過装置２Ｃが前記実施の形態１に係る濾過装置２と異なる点は、搬送装置３が濾過フィルタ群１を時計回り又は反時計回りに搬送するように構成され、生物由来物質を含む液体中を濾過フィルタ群１が通過するように構成されている点である。なお、図１４は、搬送装置３が濾過フィルタ群１を時計回りに搬送する例を示している。
【００８４】
本実施の形態４において、搬送装置３は、図１４に示すように、４つのガイドローラ３４〜３７を備えている。濾過フィルタ群１は、無端ベルト状に形成され、４つのガイドローラ３４〜３７に環状に掛け回されている。ガイドローラ３４〜３７の少なくとも１つには、回転モータ（図示せず）が設けられている。当該回転モータが駆動することにより、ガイドローラ３４〜３７が回転し、濾過フィルタ群１が搬送される。
【００８５】
ガイドローラ３４とガイドローラ３５との間には、濾過フィルタ群１の各膜部１１に生物由来物質５１を含む液体５２を供給する流体供給領域Ｅ１が設けられている。当該流体供給領域Ｅ１には、流体供給部として凹部４４が設けられている。凹部４４には、生物由来物質５１を含む液体５２が溜められている。生物由来物質５１は、濾過フィルタ群１が凹部４４に沿って搬送され液体５２中を通過することによって、濾過フィルタ群１の各膜部１１に濾過される。
【００８６】
ガイドローラ３６とガイドローラ３７との間には、濾過された生物由来物質５１を膜部１１上から除去（いわゆる、逆洗）する除去領域Ｅ２が設けられている。除去領域Ｅ２には、例えば、濾過フィルタ群１にエアを吹き付けるブロア（図示せず）が設けられている。当該ブロアが生物由来物質５１が付着した膜部１１の表面とは反対側の面からエアを吹き付けることにより、生物由来物質５１が膜部１１から除去される。当該除去された生物由来物質５１は、容器６内に蓄積される。
【００８７】
生物由来物質５１が除去された膜部１１は、ガイドローラ３４〜３７の回転により濾過フィルタ群１が搬送されることにより、再び流体供給領域Ｅ１に搬送され、液体５２中の生物由来物質５１を濾過する。以後、同様にして、ガイドローラ３４〜３７の回転により濾過フィルタ群１が搬送されることにより、各膜部１１は、流体供給領域Ｅ１と除去領域Ｅ２とに交互に搬送され、生物由来物質５１の濾過と除去が交互に繰り返される。
【００８８】
本実施の形態４によれば、濾過フィルタ群１を時計回り又は反時計回りの一方向に搬送することにより、濾過フィルタの交換を容易に行うことができる。
【００８９】
また、本実施の形態４によれば、濾過した生物由来物質５１で目詰まりした膜部１１を除去領域Ｅ２に移動させて生物由来物質５１を除去するようにしている。これにより、膜部１１を再利用することができ、コストの低減を図ることができる。
【００９０】
なお、本実施の形態４では、濾過フィルタ群１を時計回り又は反時計回りの一方向に搬送することにより、各膜部１１を流体供給領域Ｅ１と除去領域Ｅ２とに交互に搬送するようにしたが、本発明はこれに限定されない。例えば、濾過フィルタ群１を一方向に搬送して各膜部１１を流体供給領域Ｅ１に搬送した後、濾過フィルタ群１を逆方向に搬送して各膜部１１を除去領域Ｅ２に搬送する動作を繰り返すようにしてもよい。
【００９１】
また、本実施の形態４では、濾過フィルタ群１にエアを吹き付けることにより膜部１１から生物由来物質５１を除去するものとしたが、本発明はこれに限定されない。例えば、重力を利用して、膜部１１から生物由来物質５１を除去するようにしてもよい。
【００９２】
なお、前記様々な実施の形態のうちの任意の実施の形態を適宜組み合わせることにより、それぞれの有する効果を奏するようにすることができる。
【００９３】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００９４】
本発明は、濾過フィルタの交換をより容易に行うことができるので、生物由来物質やＰＭ２．５などの流体に含まれる濾過対象物を濾過する濾過フィルタ群、及び当該濾過フィルタ群を用いる濾過装置に有用である。
【符号の説明】
【００９５】
１，１Ａ，１Ｂ  濾過フィルタ群
２，２Ａ，２Ｂ，２Ｃ  濾過装置
３    搬送装置
４    流体供給部
５    ロール体
６    容器
１１    膜部
１１ａ  貫通孔
１２    保持体
１２ａ  貫通穴
１２ｂ  凹部
１２ｃ  切取線
１２Ａ  中心穴
１３    送り穴
１４，１５  保護シート
２１    第１層状部材
２２    第２層状部材
３１    供給リール
３２    巻き取りリール
３３    回転体
４１    第１筒体
４２    第２筒体
４３    回転筒体
４４    凹部
５１    生物由来物質
５２    液体
【図１】
2018122194.tif 000003
【図２】
2018122194.tif 000004
【図３】
2018122194.tif 000005
【図４】
2018122194.tif 000006
【図５】
2018122194.tif 000007
【図６】
2018122194.tif 000008
【図７】
2018122194.tif 000009
【図８】
2018122194.tif 000010
【図９】
2018122194.tif 000011
【図１０】
2018122194.tif 000012
【図１１】
2018122194.tif 000013
【図１２】
2018122194.tif 000014
【図１３】
2018122194.tif 000015
【図１４】
2018122194.tif 000016